(57)【要約】【課題】  室内における各種動作の妨げとなることが無く、しかも、ベンチや手すりとして効果的に用いることのできる手すり付きベンチの提供【解決手段】  壁８０の下部突出部５０に回動可能に設けたベンチプレート１０と、壁８０の上部突出部４０に回動可能に設けた一対の上部アーム２０とを備え、ベンチプレート１０の両側部１０ｄの先端側１０ｄ’と、このベンチプレート１０の各側部１０ｄに対応している上部アーム２０の先端側２０ｂ’とに枢支される縦向きの手すりバー３０を備えており、この各手すりバー３０が、前記ベンチプレート１０を横向きにした際に下端３０ｃを歩行面Ｍに接し得るようにしてあり、かつ、ベンチプレート１０を縦向きに維持し得るように構成してある。【選択図】  図１
2006174998.tif 000002
【特許請求の範囲】
【請求項１】
壁から突き出されている下部突出部に回動可能に備えられているベンチプレートと、
当該壁から突き出されている上部突出部に回動可能に備えられている一対の上部アームとを備えていると共に、
前記ベンチプレートの両側部の先端側と、このベンチプレートの各側部に対応して上方に備えられている前記上部アームの先端部とに枢支されるように備えられている縦向きの手すりバーを備えており、
この各手すりバーが、前記ベンチプレートを横向きにした際に下端を歩行面に接し得るようにしてあると共に、
当該ベンチプレートを縦向きに維持し得るようにしてあることを特徴とする手すり付きベンチ。
【請求項２】
前記ベンチプレートの先端縁に沿って長孔が設けてあると共に、この長孔縁と先端縁との間が横手すり部としてあることを特徴とする請求項１に記載の手すり付きベンチ。
【発明の詳細な説明】
【技術分野】
【０００１】
この発明は、居住空間を利用する日常的な各種動作を妨げること無く、しかも、各種動作をベンチに座って都合良くなし得ると共に、当該ベンチへの立ち座りに都合が良い縦手すりを備えており、しかも、壁面に沿った縦手すりとしても都合良く用い得るようにした手すり付きベンチの提供に関する。
【背景技術】
【０００２】
玄関先における履き物の脱着や、脱衣所における衣服の脱着などベンチに座って行うことが無難な各種動作が日常生活において頻繁に見受けられる。
【０００３】
このように各種動作を容易、且つ、円滑になし得るベンチは、居住空間に十分なゆとりのある場合は、さておき、一般的な家庭における玄関口や脱衣所に設置する場合、玄関における本来の往来動作の妨げとなり、また、脱衣所における快適な脱衣動作の妨げとなる不具合があった。
【０００４】
かかる点から壁に備えられているベンチを、その不使用時にあっては、当該壁に沿うように起立または垂下状態にして、当該壁に沿うように収納する手段が講じられている。
【０００５】
しかしながら、この種ベンチにあっては、当該ベンチに対する立ち座りに都合の良い縦手すりを必要とする場合が多く、この壁面から突き出し出し状態に備えられているベンチに都合の良い立ち座り用の縦手すりを設置することが難しかった。
【０００６】
かかる点から、ベンチを用いる際の立ち座りには、壁面に備えられている縦手すりを用いる必要があり、ベンチに対する立ち座りに際して、ベンチに座る向きと異なる向きで縦手すりを用いる必要があり、当該縦手すりを用いたベンチに対する立ち座りに不具合があった。
【０００７】
また、玄関口、例えば、上がり框部分において、履き物の脱着のために用いられるベンチと当該上がり框の段差を上り下りするために用いられる縦手すりとは、必要とされる設置位置が互いに重なりあって、都合の良い位置に当該ベンチと縦手すりとを設け難い不具合があった。
【発明の開示】
【発明が解決しようとする課題】
【０００８】
この発明が解決しようとする主たる課題は、居住空間の日常的な動作の妨げとなることが無く、しかも、必要に応じてベンチとしてセットし得ると共に、このベンチに対する立ち座りに都合の良い縦手すりを握り用い易い位置に備えたベンチとし、さらに、壁面に備えられる通例の縦手すりとしても都合良く用い得る手すり付きベンチを提供する点にある。
【課題を解決するための手段】
【０００９】
この発明は前記課題を解決するために、壁から突き出されている下部突出部に回動可能に備えられているベンチプレートと、
当該壁から突き出されている上部突出部に回動可能に備えられている一対の上部アームとを備えていると共に、
前記ベンチプレートの両側部の先端側と、このベンチプレートの各側部に対応して上方に備えられている前記上部アームの先端部とに枢支されるように備えられている縦向きの手すりバーを備えており、
この各手すりバーが、前記ベンチプレートを横向きにした際に下端を歩行面に接し得るようにしてあると共に、
当該ベンチプレートを縦向きに維持し得るようにしてあることを特徴とする手すり付きベンチとしてある。
【００１０】
このように構成される手すり付きベンチにあっては、当該ベンチを用いる際にベンチプレートを横向きの状態にして効果的に用い得ると共に、ベンチプレートを用いない際には、当該ベンチプレートを縦向きに起立状態として壁面に沿わせるように位置づけることによって、居住空間において要請される各種動作の妨げとならないようにすることができる。
【００１１】
また、このベンチとして横向きにして用いる際に、当該ベンチプレートに対する立ち座りに都合の良い位置に縦手すりが位置づけられるように機能し、ベンチプレートに対する立ち座りに際して、逐一身体の向きを変更する必要に迫られることがない。
【００１２】
また、ベンチプレートを縦向きに起立状態に維持した際には、前記縦手すりが壁面に沿った縦手すりとして機能し、各種立ち上がりや、屈み込み動作や、上がり框部分における段差の上り下り動作等に際して都合良く用いることができる。
【００１３】
ついで、前記構成に係る手すり付きベンチにあって、前記ベンチプレートの先端縁に沿って長孔が設けてあると共に、この長孔縁と先端縁との間が横手すり部としてあることを特徴とする手すり付きベンチでは、前記特長に併せて、当該ベンチプレートを縦向きに維持した際に、このベンチプレートに備えられている横手すり部を握って各種動作をなすことができる。
【発明の効果】
【００１４】
この発明にかかる手すり付きベンチは、ベンチプレートに対する立ち座りに都合の良い位置に縦手すりを備えていると共に、ベンチを用いる必要の無い際には、容易に、当該ベンチプレートを壁面に沿って縦向きに維持し、居住空間における通常の動作の妨げとならないようになし得ると共に、効果的に用い得る壁面に沿った縦手すりとすることができる。
【発明を実施するための最良の形態】
【００１５】
以下、図１〜図９にもとづいて当該発明を実施するための最良の形態に係る手すり付きベンチＡについて説明する。
【００１６】
この図１〜図９は、当該発明を実施するための最良の形態に係る典型的な手すり付きベンチＡを示すものであって、図１では、壁８０に備え付けられている当該手すり付きベンチＡのベンチプレート１０を横向きにして用いている状態を、また、図２では、このベンチプレート１０を縦向きにして壁８０に沿わせた状態を、それぞれ斜め上方から見て示している。図３では、当該手すり付きベンチＡを構成する各部品を分離した状態を斜め上方から見て示している。
図４では、この手すり付きベンチＡを上方から見た状態を、図５では、この手すり付きベンチＡを中間部、特に、ベンチプレート１０よりも上方の位置において切断して下方を見た状態を、図６では、ベンチプレート１０を横向きにして用い得る状態にした際の要部を断面して、図７では、このベンチプレート１０を回動させながら起立させて、その起立状態を縦向き維持手段７０によって維持している状態の要部を断面して、図８では、この縦向きに維持されているベンチプレート１０の当該縦向き維持手段７０の掛合を解いている状態を要部を断面して、図９では、縦向き維持手段７０相互の掛合が解かれてベンチプレート１０を壁８０から前方に向けて水平位置まで回動状態で引き出す状態の要部を断面して、それぞれ示している。
【００１７】
ここで図１〜図９に示される当該発明を実施するための最良の形態に係る典型的な手すり付きベンチＡは、  壁８０から突き出されている下部突出部５０に回動可能に備えられているベンチプレート１０と、
当該壁８０から突き出されている上部突出部４０に回動可能に備えられている一対の上部アーム２０、２０とを備えていると共に、
前記ベンチプレート１０の両側部１０ｄ、１０ｄの先端側１０ｄ’と、このベンチプレート１０の各側部１０ｄ、１０ｄに対応して上方に備えられている前記
上部アーム２０の先端側２０ｂ’とに枢支されるように備えられている縦向きの手すりバー３０を備えており、
この各手すりバー３０、３０が、前記ベンチプレート１０を横向きにした際に下端３０ｃを歩行面Ｍに接し得るようにしてあると共に、
当該ベンチプレート１０を縦向きに維持し得るように構成してある。
【００１８】
このように構成される手すり付きベンチＡにあっては、当該ベンチＡを用いる際にベンチプレート１０を横向きの状態にして効果的に用い得ると共に、ベンチプレート１０を用いない際には、当該ベンチプレート１０を縦向きに起立状態として壁８０面に沿わせるように位置づけることによって、居住空間において要請される各種動作の妨げとならないようにすることができる。
【００１９】
また、このベンチＡとして横向きにして用いる際に、当該ベンチプレート１０に対する立ち座りに都合の良い位置に縦手すりが位置づけられるように手すりバー３０を位置づけ、ベンチプレート１０に対する立ち座りに際して、逐一身体の向きを変更する必要に迫られることがない。
【００２０】
また、ベンチプレート１０を縦向きに起立状態に維持した際には、前記手すりバー３０が壁８０面に沿った縦手すりとして機能し、各種立ち上がりや、屈み込み動作や、上がり框８２部分における段差の上り下り動作等に際して都合良く用いることができる。
【００２１】
なお、前記壁８０に備えられる上部突出部４０並びに下部突出部５０は、当該各突出部４０、５０に接するように起立状態に維持される各手すりバー３０と、ベンチプレート１０における横手すり部１２とが、壁８０の面から所定の間隔を離して備えられ得るものであれば、いかなる形態に構成してあっても、また、いかなる素材によって構成してあってもよい。また、かかる各突出部４０、５０は、当該壁８０に対して、前記手すり付きベンチＡを構成するために備え付けたものであっても、また、他の目的のもとに当該壁８０に備えられているものであってもよい。
【００２２】
なお、前記起立状態に回動されて壁８０に沿うように位置づけられるベンチプレート１０を縦向きに維持する維持手段７０は、このベンチプレート１０を縦向きに維持し得るものであれば、いかなる構成からなるものであってもよく、このベンチプレート１０自体を前記下部突出部５０、壁８０等に掛脱可能に掛合させるようにしてあっても、また、当該手すり付きベンチＡを構成する各部材、例えば、手すりバー３０、上部アーム２０等の任意の構成部材を前記突出部４０、５０、壁８０等に掛脱可能に掛合させるようにしてあっても、さらには、この手すり付きベンチＡを構成する各部材相互、例えば、前記手すりバー３０と上部アーム２０相互を平行状態に組み付け保持するようにしてあってもよい。
【００２３】
なお、この手すり付きベンチＡを構成する各手すりバー３０は、壁８０に対して平行をなすように備えられてベンチプレート１０を横向きに支持し、しかも、当該ベンチプレート１０を起立方向に向けて回動した際に、当該壁８０の面に沿うようになし得るものであれば、いかなる形態からなるものであっても、また、いかなる素材によって構成してあってもよい。
【００２４】
ついで、前記構成に係る手すり付きベンチＡにあって、前記ベンチプレート１０の先端縁１０ｃに沿って長孔１１が設けてあると共に、この長孔１１の縁と先端縁１０ｃとの間が横手すり部１２としてあることを特徴とする手すり付きベンチＡでは、前記特長に併せて、当該ベンチプレート１０を縦向きに維持した際に、このベンチプレート１０に備えられている横手すり部１２を握って各種動作をなすことができる。
【００２５】
このように構成される手すり付きベンチＡは、当該手すり付きベンチＡを玄関の壁８０に備え付けることによって上がり框８２を備えた玄関口における当該上がり框８２部分における上がり下りの動作や、当該部分における履物の脱ぎ履き等に都合良く用いることができる。また、前記構成の手すり付きベンチＡを脱衣所の壁８０に備え付けることによって、当該脱衣所における衣服の脱着等に際して都合良く用いることができる。
【００２６】
かかる手すり付きベンチＡは、前記の場所に限られること無く、ベンチに座っての各種動作を要し、しかも、当該ベンチに対する立ち座りに際して縦手すりを必要とされる任意の壁８０部分に設置して効果的に用いることができる。
【００２７】
ついで図１〜図９に示される典型的な手すり付きベンチＡについて具体的に説明する。
この実施例に係る手すり付きベンチＡは、壁８０から突き出されている下部突出部５０に回動可能に備えられているベンチプレート１０と、当該壁８０から突き出されている上部突出部４０に回動可能に備えられている一対の上部アーム２０とを備えていると共に、前記ベンチプレート１０の両側部１０ｄ，１０ｄの先端側１０ｄ’と、このベンチプレート１０の各側部１０ｄ、１０ｄに対応して上方に備えられている前記上部アーム２０の外側部２０ｂの先端側２０ｂ’とに枢支されるように備えられている縦向きの手すりバー３０を備えており、この各手すりバー３０が、前記ベンチプレート１０を横向きにした際に下端３０ｃを歩行面Ｍに接し得るようにしてあると共に、当該ベンチプレート１０を縦向きに維持し得るように構成してある。
【００２８】
この図示例に係る手すり付きベンチＡは、当該手すり付きベンチＡを玄関の壁８０に備えたものであって、当該手すり付きベンチＡを構成するベンチプレート１０が横向きの状態、より具体的には、水平の状態において上がり框８２を跨るように、すなわち、前記ベンチプレート１０の各側部１０ｄ、１０ｄの先端側１０ｄ’に軸部材６０によって回動可能に枢支されている手すりバー３０の一方の下端３０ｃが歩行面Ｍをなす玄関土間８１に、他方の下端３０ｃが歩行面Ｍをなす玄関フロアー８３にそれぞれ接地するように設けてあり、この上がり框８２上に設置されるベンチプレート１０を用いて、当該上がり框８２部分での履物の脱ぎ履きに都合が良く、しかも、当該ベンチプレート１０に対する立ち座りに都合の良い手すり付きベンチＡを構成してある。
【００２９】
また、かかる位置に手すり付きベンチＡを設けることによって、玄関における上がり框８２部分にもたらされる段差の上がり下りを、当該壁８０に寄せ付けられた手すりバー３０を用いることによって容易且つ確実になすことができる。
【００３０】
ここで手すり付きベンチＡのベンチプレート１０と各上部アーム２０とが組み付けられる下部突出部５０と上部突出部４０とは、壁８０の面から一定の間隔を離して備えられている前面４０’ｂ、５０’ｂがそれぞれ同一の仮想の面内に位置するように当該壁８０に適宜の手段によって止着してあり、この下部突出部５０に備えられるベンチプレート１０と上部突出部４０に備えられる上部アーム２０の回動軸線が同一の仮想の面内に位置するようにしてある。
【００３１】
より具体的には、縦長の直方体状ブロック体４０’からなる上部突出部４０と、横長の直方体状ブロック体５０’からなる下部突出部５０を同一の厚さのものとして用意し、この下部突出部５０を構成する直方体状ブロック体５０’を、当該ブロック体５０’の長手側を壁８０面に横向きにして、ベンチプレート１０の据え付け高さに当該ブロック体５０’の下端部を位置づけるように、前記上がり框８２を跨るように壁８０に止着する。
【００３２】
このように壁８０に取り付けられた下部突出部５０の上方にある壁８０面に対して、上部突出部４０を構成する直方体状ブロック体４０’を止着する。この下部突出部５０の上方に備えられる上部突出部４０をなす直方体状ブロック体４０’は、前記下部突出部５０を構成する直方体状ブロック体５０’における垂直の各側端面５０’ａと同一の仮想面内に垂直な外側面４０’ａを位置づけるように壁８０に組み付けてある。
【００３３】
また、この上部突出部４０を構成する各直方体状ブロック体４０’、４０’は、それぞれの下端面が、同一の水平線上に位置するように設けてあり、しかも、ベンチプレート１０に対する立ち座りに際して手すりバー３０を都合良く用い得る高さとなる位置に設けてある。
【００３４】
このように壁８０に備えられている下部突出部５０を構成する直方体状ブロック体５０’に対して、その横幅と同一の横幅を備えた直角四辺形状をなすベンチプレート１０を回動可能に組み付ける。かかる下部突出部５０に対するベンチプレート１０の組み付けは、下部突出部５０の下端部から前方に向けて突設されている複数の各軸受け片部５１〜５１間に、当該ベンチプレート１０の取付基部側に突設してある軸受け片部１３を納め入れると共に、この各軸受け片部１３、５１に備えられている孔１４、５１ａに軸部材６０を構成するボルト状軸６１を水平状態で挿通し、当該軸６１にナット６２を締め込むことによってなすようにしてあり、下部突出部５０に対してベンチプレート１０が水平の回動軸線で回動可能に設けられている。
【００３５】
また、当該下部突出部５０を構成する直方体状ブロック体５０’の上方にあって、垂直な外側面４０’ａを当該下部突出部５０を構成する直方体状ブロック体５０’の垂直な外側面５０’ａと同一の仮想の面内に位置するようにして壁８０に備えられる一対の上部突出部４０を構成する直方体状ブロック体４０’は、縦方向に長いブロック状体としてあり、その前面４０’ｂの横幅と同幅の平板状をなす上部アーム２０を、当該各上部突出部４０の前面下部に回動可能に組み付けてある。
【００３６】
かかる上部アーム２０は、上下に板面を備えた板状のものとしてあり、その取付基部側が二股状の分岐部２１としてある。そして、この分岐部２１間に上部突出部４０の下端部に備えられている軸受け片部４１を納め入れ、この分岐部２１に備えられている孔２２ａと軸受け片部４１に備えられている孔４１ａに挿通した水平向きの軸部材６０を構成するボルト状軸６１にナット６２をねじ付けることによって、当該上部突出部４０に対して上部アーム２０を水平の回動軸線で回動可能に設けてある。
【００３７】
このようにして、下部突出部５０に回動可能に組み付けられたベンチプレート１０と、上部突出部４０に回動可能に組み付けられた上部アーム２０とを、手すりバー３０によって組み付けるようにしてある。
【００３８】
この手すりバー３０に対するベンチプレート１０と上部アーム２０の組み付けは、いずれも軸部材６０を用いて回動可能の状態に組み付けてあり、ベンチプレート１０における前記下部突出部５０に対する回動軸線から所定の間隔を離した当該ベンチプレート１０の側部１０ｄの先端側１０ｄ’と、前記上部アーム２０の上部突出部４０に対する回動軸線から前記ベンチプレート１０における間隔と同一の間隔を離した当該上部アーム２０の外側部２０ｂの先端側２０ｂ’とに、手すりバー３０を垂直の状態で、軸部材６０によって回動可能に組み付けてある。
【００３９】
すなわち、前記ベンチプレート１０側にあっては、このベンチプレート１０の両側部１０ｄの先端側１０ｄ’に埋設されている各埋め込みナット６３に対して各座金６４を介して各手すりバー３０の下部側３０ｂに設けられている孔３０ｄから水平状態にボルト状軸６１をねじ入れ、この手すりバー３０、３０によってベンチプレート１０を挟むように回動可能に組み付ける。
【００４０】
また、前記対をなす各上部アーム２０の外側部２０ｂの先端側２０ｂ’に手すりバー３０を垂直状態に前記軸部材６０で回動可能に設けてあり、この各手すりバー３０、３０によって、当該対をなす上部アーム２０、２０が外側から支持されるように組み付けてある。
【００４１】
かかる上部アーム２０と手すりバー３０とは、当該上部アーム２０の外側部２０ｂの先端側２０ｂ’に埋設状態に備えられている埋め込みナット６３に座金６４を介して手すりバー３０の上部側３０ａに設けられている孔３０ａから水平状態にボルト状軸６１をねじ入れ、この上部アーム２０に対して手すりバー３０を回動可能に組み付けるようにしてある。
【００４２】
そして、この図示例にあっては、ベンチプレート１０を水平向きにした状態で、垂直状態とされている各手すりバー３０は、そのそれぞれの下端３０ｃを各歩行面Ｍ、この図示例にあっては、一方の手すりバー３０の下端３０ｃを玄関土間８１に、他方の手すりバー３０の下端３０ｃを玄関フロアー８３にそれぞれ接するようにしてある。
【００４３】
このように構成される手すり付きベンチＡは、所謂平行移動可能な枠体とされており、各手すりバー３０は、随時、必要に応じて壁８０から離した状態にして用いたり、壁に沿うように近接した状態にして用いることができ、このベンチプレート１０の上面１０ａを前記下部突出部５０を構成する直方体状ブロック体５０’の前面５０’ｂに平行にした際に、当該前面５０’ｂに平行に起立され、垂直の状態とされる。
【００４４】
このように起立状態に回動されるベンチプレート１０は、当該ベンチプレート１０に組み付けられている手すりバー３０と共に、前記下部突出部５０及び上部突出部４０の突き出し幅を壁８０との間に残すようにして当該壁８０に沿うように寄せ付けられる。
【００４５】
かかる手すりバー３０及びベンチプレート１０を縦向き維持手段７０によって、この壁８０に寄せ付けられた手すりバー３０とベンチプレート１０を垂直状態に維持し、この垂直状態にあり、しかも、壁８０から所定の間隔を離された手すりバー３０を縦手すりとして用いる。
【００４６】
また、同様の態様において、ベンチプレート１０に備えられている横手すり部１２を用いて上がり框８２部における上がり下り等に際して用いることができる。
【００４７】
かかる縦向き維持手段７０は、例えば、この図示例にあっては、前記下部突出部５０を構成する直方体状ブロック体５０’の前面５０’ｂに備えられている突き出し体７２の引っ掛け片部７２ａにベンチプレート１０に備えられているスライダー７１の掛合片７１ａを係脱可能に掛合させることによってなすことができる。
【００４８】
この縦向き維持手段７０を構成するスライダー７１は、前記ベンチプレート１０内の収納空間１５内に組み入れられており、圧縮コイルバネ１９によってベンチプレート１０の下面に開口されている操作孔１７側に向けて常時付勢されており、ストッパー１８で当該操作孔１７側に向けた移動が阻止されるようにしてある。この図示例にあっては、前記操作孔１７がベンチプレート１０の下部突出部５０に対する組み付け側に設けてあり、スライダー７１は、圧縮コイルバネ１９によって当該ベンチプレート１０の先端縁１０ｃ側から前記下部突出部５０に対する組み付け基部側に向けて付勢してある。
【００４９】
そして、このベンチプレート１０には、その上面１０ａ、この図示例にあっては、当該ベンチプレート１０を起立した際に前記下部突出部５０を構成する直方体状ブロック体５０’の前面５０’ｂに向き合う面に当該下部突出部５０に設けられている突き出し体７２を受け入れ得る位置に当該突き出し体７２を受け入れる孔１６が設けてあり、当該ベンチプレート１０の前記収納空間１５に納め入れられているスライダー７１に当該孔１６から受け入れられる突き出し体７２を受け入れる凹部７１ｂが設けてあり、この凹部７１ｂにおける前記圧縮コイルバネ１９の備えられている側から当該凹部７１ｂに突き出す掛合片７１ａが設けてある。そして、このスライダー７１に備えられている掛合片７１ａは、その外側の面が当該凹部７１ｂの縁から凹部７１ｂの底方向に傾斜するテーパ面７１ａ’を備えた構成としてあり、このスライダー７１が前記圧縮コイルバネ１９によって前記ストッパー１８に押し当てられた状態で、このテーパ面７１ａ’が孔１６内に位置するようにしてある。
【００５０】
かかるスライダー７１に掛合して、前記ベンチプレート１０及び手すりバー３０を縦向きに維持する維持手段７０を構成する突き出し体７２が前記下部突出部５０を構成する直方体状ブロック体５０’の前面５０’ｂに設けてあり、この突き出し体７２の前端部に上方に向けて突き出す引っ掛け片７２ａが設けてあり、この引っ掛け片７２ａの前面側が上方に向けて漸次前記前面５０’ｂに近づくように傾斜するアール面７２ａ’に構成してある。
【００５１】
このような構成の縦向き維持手段７０を備えた手すり付きベンチＡにあっては、ベンチとして用いるように水平向きにされていたベンチプレート１０の先端側を上方に起立させるように回動し、このベンチプレート１０を当該ベンチプレート１０に組み付けられている手すりバー３０と共に壁８０に沿うように移動した際に、前記下部突出部５０に備えられている突き出し体７２が前記孔１６からスライダー７１の凹部７１ｂに受け入れられ、このスライダー７１における掛合片７１ａのテーパ面７１ａ’に接する当該突き出し体７２における引っ掛け片７２ａのアール面７２ａ’によって当該スライダー７１を圧縮コイルバネ１９の付勢に抗して移動させ、ついで、当該アール面７２ａ’とテーパ面７１ａ’との当接が無くなった位置で、図７に示されるように圧縮コイルバネ１９の付勢によって互いに係合状態とされる。
【００５２】
このように突き出し体７２の引っ掛け片７２ａとスライダー７１の掛合片７１ａとを係合状態にすることによって、図２に示されるように、ベンチプレート１０と上部アーム２０と手すりバー３０とをそれぞれ下部突出部５０及び上部突出部４０の壁８０からの突き出し寸法分、当該壁８０から離した状態で当該壁８０に対して平行な状態で起立状態に維持することができる。
【００５３】
このような状態にある手すり付きベンチＡは、ベンチプレート１０が歩行等の妨げとなることが無く、しかも、このベンチプレート１０における横手すり部１２を、所謂、横手すりとして効果的に用いることができる。
【００５４】
また、各手すりバー３０は、前記下部突出部５０及び上部突出部４０の存在によって、当該手すりバー３０を縦手すりとして用いるのに都合の良い間隔を壁８０から離して備えられ、縦手すりとして各種の動作に用いることができる。
【００５５】
このように縦向きに維持されているベンチプレート１０は、図８に示されるように操作孔１７からスライダー７１を前記圧縮コイルバネ１９の付勢に抗して内方に押し込み、当該スライダー７１と突き出し体７２との係合を解除することによって、図９に示されるように水平向きに移動される。
【００５６】
このようにベンチプレート１０を水平向きに移動することに伴って同時に前方に移動される手すりバー３０の下端３０ｃが玄関土間８１と玄関フロアー８３等の歩行面Ｍによって支持され、図１に示されるように、ベンチプレート１０を水平にして、水平の座面を備え、しかも、このベンチプレート１０の各側部１０ｄ、１０ｄの先端側１０ｄ’に、それぞれ垂直に起立している手すりバー３０を備えた手すり付きベンチＡとして用いることができる。
【００５７】
かかる手すり付きベンチＡにあっては、当該ベンチＡの使用のための立ち座りに際して前記手すりバー３０を効果的に用いることができると共に、当該ベンチＡに座って履物を容易に、履いたり、脱いだりすることができる。
【００５８】
また、当該手すり付きベンチＡは、これを脱衣所、寝室、廊下等、各種の居住空間にある壁に沿って設け、ベンチとして用いたり、手すりとして用いることができ、例えば、ベンチとして用いる際には、当該ベンチに対する立ち座りに際して手すりバー３０を効果的に用いることができる。また、この手すり付きベンチＡにおけるベンチプレート１０を壁８０に沿うように起立状態にすることによって、当該手すりバー３０を縦手すりとして用い得ると共に、ベンチプレート１０の横手すり部１２を当該縦手すりに連続する横手すりとして用いることができる。
【図面の簡単な説明】
【００５９】
【図１】典型的な手すり付きベンチを備えた一適用例を、当該ベンチを用いている状態で示した斜視図
【図２】同手すり付きベンチのベンチプレートを縦向きに維持した状態を示す斜視図
【図３】同手すり付きベンチの部品分離斜視図
【図４】同壁に備えられた手すり付きベンチの平面図
【図５】同平断面図
【図６】同ベンチプレートを横向にした際の要部縦断面図
【図７】同ベンチプレートを縦向きに維持した際の要部縦断面図
【図８】同縦向きにされているベンチプレートの縦向き維持を解除する状態を示す要部縦断面図
【図９】同起立状態にあったベンチプレートを横向にする一態様を示す要部縦断面図
【符号の説明】
【００６０】
Ａ  手すり付きベンチ
Ｍ  歩行面
１０  ベンチプレート
１２  横手すり部
２０  上部アーム
３０  手すりバー
４０  上部突出部
５０  下部突出部
７０  縦向き維持手段
【図１】
2006174998.tif 000003
【図２】
2006174998.tif 000004
【図３】
2006174998.tif 000005
【図４】
2006174998.tif 000006
【図５】
2006174998.tif 000007
【図６】
2006174998.tif 000008
【図７】
2006174998.tif 000009
【図８】
2006174998.tif 000010
【図９】
2006174998.tif 000011